(57)【特許請求の範囲】
【請求項１】
映像を表示するための表示パネルと、前記表示パネルの背面側に固定されて該表示パネルを駆動する基板と、前記表示パネルを開口から収容して装着するフロントキャビネットと、前記フロントキャビネットの前記開口を覆うよう固定されるリアキャビネットと具備する薄型表示装置において、
前記基板は、前記表示パネルの背面における略中央部に固定され、
前記リアキャビネットは、前記フロントキャビネットに固定された際、
前記基板と対向する該リアキャビネットの領域を形成する第一の分割部位と、
前記第一の分割部位の両側付近の領域を形成する第二及び第三の分割部位とで構成され、
前記第一の分割部位は、板金にて形成されるとともに、前記基板を収容する凹部を備え、
前記凹部に前記基板を収容するよう前記表示パネルの背面側に固定されることを特徴とする薄型表示装置。
【請求項２】
前記表示パネルは、プラズマ駆動パネルであることを特徴とする請求項１に記載の薄型表示装置。
【請求項３】
前記基板は、外部装置と電気的に接続可能な接続端子を備え、
前記第一の分割部位は、前記接続端子が露出する端子開口を備えることを特徴とする請求項１又は請求項２のいずれかに記載の薄型表示装置。
【請求項４】
前記第二及び第三の分割部位は樹脂にて形成され、前記フロントキャビネットに固定されることを特徴とする請求項１から請求項３のいずれか一項に記載の薄型表示装置。
【請求項５】
前記表示パネルは表示画面における縦横比が横に大きいワイド型であって、
前記第二の分割部位と前記第三の分割部位は、前記表示パネルの表示画面における横方向に前記リアキャビネットを分割する構成とされることを特徴とする請求項１から請求項４のいずれか一項に記載の薄型表示装置。
【請求項６】
前記表示パネルは、表示画面における縦横比が横に大きいワイド型であるとともに、３７インチ以上のプラズマ駆動パネルであって、
前記基板は映像データの供給を受け付ける接続端子を備え、前記表示パネルを駆動するパネル駆動基板であって、
前記第二及び第三の分割部位は、樹脂にて形成され、前記フロントキャビネットにねじ止めされることを特徴とする請求項１に記載の薄型表示装置。
【発明の詳細な説明】
【技術分野】
【０００１】
本発明は薄型表示装置に関し、特に、リアキャビネットを有する薄型表示装置に関するものである。
【背景技術】
【０００２】
現在、厚みの薄い液晶駆動パネルや、プラズマ駆動パネル（以後表示パネル）を用いた薄型表示装置が広く普及している。薄型表示装置は、そのインチサイズが小型の物から例えば３７インチ以上の大型のものまでが存在し、その用途に合わせて広く普及している。  
【０００３】
しかし、表示パネルの大型化が進めば様々な問題が生じてくる。薄型表示装置の筐体は、表示パネルの前面側を覆うフロントキャビネットと、表示パネルの背面側を覆うリアキャビネットとで構成されている。そのため、表示パネルのインチサイズが大きくなれば筐体を大きくする必要が生じ、筐体の大型化に対応させて生産設備を大型化する必要が生じる。具体的には、リアキャビネットをプレス加工で生産した場合、リアキャビネットの大型化に合わせて金型が大型化し、金型の大型化に合わせてプレス機自体も大型化する必要に迫られる。生産設備が大型化すれば製品当たりのコストに跳ね返り、その結果、製品価格の上昇を招く。また、大型化したリアキャビネットを組み付け時に搬送する際の搬送性も悪化する。
【０００４】
表示パネルを駆動するためのパネル駆動基板とは別体でオーディオ回路やチューナ回路を実装したソース基板を有する表示装置において、金属製のリアキャビネット（リアカバー）の大型化に伴う重量増を解消するため、リアキャビネットをパネル駆動基板を収容する部位と、ソース基板を収容する部位とに分割した技術が開示されている（例えば、特許文献１参照。）。
【０００５】
また、ＣＲＴ等の奥行きが有るテレビジョン受信機の筐体を、前面側を構成するフロントキャビネットと、背面側を構成するリアキャビネットと、天面板と、底面板とで構成した技術が開示されている（例えば、特許文献２，３参照。）。
【特許文献１】特開２００５−２４８７５号公報
【特許文献２】特開平９−１３５４０８号公報
【特許文献３】特開平９−２９８７０５号公報
【発明の開示】
【発明が解決しようとする課題】
【０００６】
上述した特許文献１の発明は、次のような課題があった。つまり、キャビネット自体をコンパクトに形成するための発明ではなく、また、ソース基板を別体として備える表示装置にしか使用することができなかった。
【０００７】
また、特許文献２の発明は、次のような課題があった。つまり、立体形状とされたキャビネット（筐体）を平面状に分割することはできても、画面のインチサイズが大きい場合は依然としてフロントキャビネット又はリアキャビネットは大きいままであった。
【０００８】
本発明は、上記課題に鑑みてなされたもので、生産コストを下げつつ、搬送性を向上させることが可能な表示装置の提供を目的とする。
【課題を解決するための手段】
【０００９】
上記課題を解決するために、本発明の一局面として、映像を表示するための表示パネルと、前記表示パネルの背面側に固定されて該表示パネルを駆動する基板と、前記表示パネルを略矩形状の開口から収容して装着するフロントキャビネットと、前記フロントキャビネットの前記開口を覆うよう固定されるリアキャビネットと具備する薄型表示装置において、前記リアキャビネットは、板金にて構成される部位と樹脂にて構成される部位とから成る構成としてある。
【００１０】
上記のように構成された発明では、表示パネルと、表示パネルの背面側に固定されて該表示パネルを駆動するための基板と、表示パネルを収容する略矩形状の開口を備えるフロントキャビネットとを有する表示装置において、前記開口を覆うリアキャビネットは、板金にて構成される部位と、樹脂にて構成される部位とから成る分割構造である。
そのため、表示パネルが大型であってもリアキャビネットを小さな分割部位で構成するため、リアキャビネット小さな生産設備で生産できコストを下げることができる。また、組み付け時等の搬送時には小さな分割部位を搬送すればよく、搬送性を高めることができる。
【００１１】
好ましくは、前記基板は、前記表示パネルの背面における略中央部に固定され、前記リアキャビネットは、前記基板と対向する該リアキャビネットの領域を形成する第一の分割部位と、前記第一の分割部位の両側付近の領域を形成する第二及び第三の分割部位とで構成される。
上記のように構成された発明では、基板不良の際、第一の分割部位のみを取り外すことで基板を露出させることができ、基板の修理等を迅速に行なうことができる。
【００１２】
好ましくは、前記基板は外部装置と電気的に接続可能な接続端子を備え、前記第一の分割部位は、前記接続端子が露出する端子開口を備える。
上記のように構成された発明では、接続端子等の設計変更があっても端子開口を備える第一の分割部位のみを設計変更すればよく、設計変更に掛かるコストを下げることができる。
【００１３】
好ましくは、前記第一の分割部位は、板金にて形成されるとともに、前記基板を収容する凹部を備え、前記凹部で前記基板を収容するよう前記表示パネルの背面側に固定される。
上記のように構成された発明では、第一の分割部位を用いて基板を覆うため、基板に対してシールド効果を奏することができる。
【００１４】
本発明の他の局面として、前記表示パネルはプラズマ駆動パネルである。
上記のように構成された発明では、特に、輻射ノイズを発生し易いプラズマ駆動パネルにおいて、第一の分割部位による基板に対するシールド効果がより有効となる。
【００１５】
好ましくは、前記第二及び第三の分割部位は樹脂にて形成され、前記フロントキャビネットにねじ止めされる。
上記のように構成された発明では、上述したように基板を第一の分割部位の凹部で覆うため、第二及び第三の分割部位は基板に対してシールド効果を奏する必要がない。そのため、第二及び第三の分割部位をシールド効果を有さない樹脂にて形成し薄型表示装置の重量を軽くすることができる。
【００１６】
好ましくは、前記表示パネルは表示画面における縦横比が横に大きいワイド型であって、前記各分割部位は、前記表示パネルの表示画面における横方向に前記リアキャビネットを分割する構成とされる。
上記のように構成された発明では、縦横比が横に長いワイド型の表示パネルである場合、リアキャビネットを横方向に分割することでリアキャビネットをコンパクトにし易くなる。
【００１７】
本発明の他の局面として、前記分割部位は、前記開口を覆う面が略矩形状である。
上記のように構成された発明では、各分割部位を矩形状とすることにより、各分割部位を形成する部材の歩留まりを低減させることができる。
【００１８】
本発明の他の局面として、前記表示パネルは、表示パネルにおける縦横比が横に大きいワイド型であるとともに、３７インチ以上のプラズマ駆動パネルであって、前記基板は映像データの供給を受け付ける接続端子を備え、且つ、前記表示パネルの背面における略中央部にねじ止めされて前記表示パネルを駆動するパネル駆動基板であって、前記リアキャビネットは、前記表示パネルにおける横方向に分割配置されて、前記基板と対向する領域を形成する第一の分割部位と、前記第一の分割部位の両側に配置される第二及び第三の分割部位とで構成され、前記第一の分割部位は板金にて形成されるとともに、前記接続端子を露出させる端子用開口と、前記基板収容する凹部とを備え、前記凹部で前記基板を収容するよう前記表示パネルの背面側にねじ止めされ、前記第二及び第三の分割部位は、樹脂にて形成され、前記フロントキャビネットに固定される。
【発明の効果】
【００１９】
以上説明したように本発明によれば、リアキャビネットの生産するための生産設備を小さくすることができ、コストを下げることができる。また、搬送時は、小さな分割部位を搬送すればよいため、搬送性を高めることができる。
また本発明によれば、基板の修理等を迅速に行なうことができる。
そして請求項３にかかる発明によれば、設計変更に掛かるコストを下げることができる。
さらに本発明によれば、基板に対してシールド効果を奏することができる。
また請求項４にかかる発明によれば薄型表示装置の重量を軽くすることができる。
そして請求項５にかかる発明によれば、リアキャビネットを横方向に分割することでリアキャビネットをコンパクトにし易くなる。
【発明を実施するための最良の形態】
【００２０】
以下、下記の順序に従って本発明の実施形態を説明する。なお、図中同一及び同等のものは同じ符号を付し、その説明は繰返さない。
１．第一の実施の形態：
２．第二の実施の形態：
３．変形例：
４．まとめ：
【００２１】
１．第一の実施の形態：
図１は、薄型表示装置を説明する展開図である。薄型表示装置１００は、映像を表示するための表示パネル９０と、表示パネル９０の背面側にねじ止めされて、表示パネルを駆動するための駆動基板８０と、表示パネル９０を前面側から収容するフロントキャビネット７０と、フロントキャビネット７０の背面側を覆うリアキャビネット６０とで構成されている。また、図１に示すように、リアキャビネット６０は３つの分割部位から成る分割構造であって、フロントキャビネット７０における背面側の略中央に固定される第一の分割部位６１と、前記第一の分割部位の両側に固定される第二及び第三の分割部位６２，６３とで構成されている。
【００２２】
表示パネル９０は、液晶を用いて映像を表示するためのパネル部９１と、パネル部９１の背面側に配置されて、光源として作用するバックライト（図示しない）と、パネル部９１の表示面を露出させつつパネル部９１を覆う背面フレーム９２とで構成されている。パネル部９１は、表示画面の縦横比において横が大きいワイド型であって３７インチ以上の液晶パネルである。また、背面フレーム９２は板金により形成され、その背面側には各基板をねじ止めするための第一の固定部位９２ａと、第一の分割部位６１をねじ止めするための第二の固定部位９２ｂとが切り起こして形成されている。なお、表示パネル９０は背面フレーム９２にパネル部９１及びバックライトを収容して構成される。
【００２３】
図２は、薄型表示装置１００の背面側における内部を説明する図である。同図より、表示パネル９０の背面側には、リモコン装置からの制御コマンドの受信する制御基板８１と、ＰＣ等の外部装置から接続端子８２ａを介して供給された映像データに所定の信号処理を施し表示パネル９０に映像信号を供給するパネル駆動基板８２と、バックライトを駆動させるためのバックライト駆動基板８３とがねじ止めされている。上記した各基板は表示パネル９０の幅方向に隣接するよう背面フレーム９２から切り起こして形成された第一の固定部位９２ａにねじ止めされている。
【００２４】
フロントキャビネット７０は表示パネル９０を矩形状の開口から収容して装着する。フロントキャビネット７０は、表示パネル９０を収容するための収容開口７１を備えた厚みの薄い箱型形状であって、収容開口７１に対向する面には表示パネル９０の表示面を露出させる表示開口７２を備えている。また、フロントキャビネット７０は可塑性樹脂により構成され、その内側に表示パネル９０を固定するためのパネル固定部位７３が形成されている。さらに、フロントキャビネット７０の内側四隅にはリアキャビネット６０をねじ止めするためのボス部７４が形成されている。
【００２５】
図３は、リアキャビネット６０を説明する斜視図である。リアキャビネット６０は、フロントキャビネット７０の収容開口７１を覆うよう固定されて薄型表示装置１００における筐体の後側を形成する。リアキャビネット６０は表示パネル９０の表示画面における横（幅）方向に分割形成された第一〜第三の分割部位６１〜６３により構成され、個別にフロントキャビネット７０及び背面フレーム９２にねじ止めされる。また、第一〜第三の分割部位６１〜６３はその用途に合わせて異なる材質により形成されている。
【００２６】
第一の分割部位６１は、フロントキャビネット７０の収容開口７１の略中央部を覆う部位である。第一の分割部位６１は略矩形の薄板形状であって、可塑性樹脂を用いて形成されている。第一の分割部位６１の四隅にはねじ部品のねじ部が貫通する貫通穴６１ａが形成されており、貫通穴６１ａを貫通したねじ部が背面フレーム９２の第二の固定部位９２ｂに形成された雌ねじ部に螺合し、第一の分割部位が表示パネル９０の背面にねじ止めされる。なお、第一の分割部位６１の幅Ｗ１及び高さＨ１はパネル駆動基板８２の幅及び高さより大きいことが望ましい。
【００２７】
また、第一の分割部位６１が背面フレーム９２に固定された場合における下方には端子用開口６１ｂが形成されており、第一の分割部位６１をフロントキャビネット７０の収容開口７１にねじ止めした際、この端子用開口６１ｂからパネル駆動基板８２に実装された接続端子８２ａが露出する。そのため、例えば、設計変更により接続端子８２ａの数を増加させたい場合に第一の分割部位６１だけを設計変更するだけでよく、リアキャビネット６０全体を設計変更する場合に比べて成形金型の変更を最小に抑え、設計変更に伴うコストを抑えることができる。
【００２８】
第二及び第三の分割部位６２，６３は板金にて形成され、切り欠き部６２ｄ，６３ｄが形成された略コ字状の背面６２ａ，６３ａと、背面６２ａ，６３ａにおける外周から延設する側面６２ｂ，６３ｂとで構成されている。また、背面６２ａ，６３ａには、ねじ部品のねじ部が貫通する貫通穴６２ｃ，６３ｃが形成されている。そのため、この貫通穴６２ｃ，６３ｃを貫通したねじ部をフロントキャビネット７０のボス部７４に螺合させて第二及び第三の分割部位６２，６３をフロントキャビネット７０に固定させる。
【００２９】
第二及び第三の分割部位６２，６３は、背面６２ａ，６３ａに形成された切り欠き部６２ｄ，６３ｄの開口をそれぞれ対向させて配置した場合、その幅Ｗ２，Ｗ３及び高さＨ２，Ｈ３とを収容開口７１の幅Ｗｆ及びＨｆ（図２）と略同寸となるよう各辺が形成されている。そのため、第二及び第三の分割部位６２，６３をフロントキャビネット７０にねじ止めして、収容開口７１における略中央部以外の領域が覆われる。また、第二及び第三の分割部位６２，６３における切り欠き部６２ｄ，６３ｄの内幅ｄ２，ｄ３及び内側高さｈ２，ｈ３は、第一の分割部位６１における幅Ｗ１と高さＨ１とそれぞれ以下の関係を有する。
Ｗ１＝ｈ２＝ｈ３  …（１）
Ｗ１＝ｄ２＋ｄ３  …（２）
なお、切り欠き部６２ｄ，６３ｄの位置は第二及び第三の分割部位６２，６３をフロントキャビネット７０に固定した際、その開口が表示パネル９０の背面側に固定されたパネル駆動基板８２の外周より大きくなることが望ましい。
【００３０】
１．２．薄型表示装置の組み立て方法
以下図４を基に、本薄型表示装置の組み立て方法を説明する。図４は、薄型表示装置の組み立て方法を説明する図である。まず、背面フレーム９２の第一の固定部位９２ａに各駆動基板８０をねじ止めする。次に、フロントキャビネット７０のパネル固定部位７３を用いて表示パネル９０をフロントキャビネット７０に固定してフロントモジュールを形成する。
【００３１】
次に、図４（ａ）に示すように、第二及び第三の分割部位６２，６３を、フロントモジュールにねじ止めする。具体的には、第二の分割部位６２の貫通穴６２ｃにねじ部品のねじ部を貫通させて、この貫通させたねじ部品をフロントキャビネット７０の右側隅部に形成されたボス部７４にねじ止めする。同様に、第三の分割部位６３を、フロントキャビネット７０の図中左側隅部に形成されたボス部７４にねじ止めする。これにより、フロントキャビネット７０の収容開口７１における略中央部以外の領域が第二及び第三の分割部位６２，６３により覆われる。
【００３２】
更に、第一の分割部位６１を背面フレーム９２の第二の固定部位９２ｂにねじ止めする。上述したように第二の固定部位９２ｂには雌ねじ部が形成されており、この雌ねじ部に第一の分割部位６１に形成された貫通穴６１ａを貫通したねじ部を螺合させる（図４（ｂ））。このとき、フロントキャビネット７０にねじ止めされた第二及び第三の分割部位６２，６３の切り欠き部６２ｄ，６３ｄにより形成される開口の大きさは、上記（１）及び（２）式により、第一の分割部位６１と略同寸である。そのため、第二及び第三の分割部位６２，６３で形成された開口を第一の分割部位６１で覆うよう第一の分割部位６１を背面フレーム９２にねじ止めすることで、収容開口７１の全開口はリアキャビネット６０により覆われる。
【００３３】
本薄型表示装置の構成により、以下に示す効果を生じさせる。リアキャビネット６０を第一〜第三の分割部位６１〜６３で構成するのでリアキャビネットを生産するための金型等を含む生産設備を小さくでき、１部品当たりに係るコストを下げることができる。また、リアキャビネット６０が第一〜第三の分割部位で構成されるため、作業者は組み付け時等に小さな分割部位を取り扱えばよく、また小さな搬送用箱に収容して搬送すればよい。さらに、搬送時に作業者が大型のリアキャビネットを例えば設備等にぶつけて破損させることもない。そして、接続端子の設計変更等により端子用開口６１ｂの形状を設計変更する場合にも、第一の分割部位６１のみを設計変更すればよく、設計変更に掛かるコストを下げることができる。さらに、表示パネル９０の背面側略中央に固定されたパネル駆動基板８２だけが故障した場合、第一の分割部位６１だけをフロントモジュールから取外し、パネル駆動基板８２を露出させるので、パネル駆動基板８２の取り外しを容易に行なうことができる。
【００３４】
２．第二の実施の形態
第二の実施の形態では第一の分割部位６１を板金にて構成し、第二及び第三の分割部位６２，６３を可塑性樹脂を用いて構成している。また、図５に示すように、第一の分割部位６１の形状をパネル駆動基板８２が収容される凹部を備える形状とし、パネル駆動基板８２の周囲を覆うよう第一の分割部位６１を背面フレーム９２にねじ止めしてパネル駆動基板８２に対する耐ノイズ性を高めるシールドとしての機能を奏じさせることができる。これは、輻射ノイズの発生量が多いプラズマ駆動パネルを表示パネル９０として使用した場合に特に有効である。
【００３５】
図５は、第二の実施の形態における薄型表示装置の横断面図を示す図である。この図は、例えば、図２のＷｆ方向における横断面を示す図である。同図より、第一の分割部位６１は板金にて構成され、横断面が略コ字状の基板収容凹部６１ｃを備えている。また、基板収容凹部６１ｃの側面にはねじ部品のねじ部が貫通する貫通穴を備える固定面６１ｄ，６１ｄが延設されており、この貫通穴を貫通したねじ部を背面フレーム９２に螺合させて第一の分割部位６１をねじ止めする。なお、基板収容凹部６１ｃは内部に駆動基板を収容することができるよう、その内幅ｄ１はパネル駆動基板８２の幅より大きいことが望ましい。
【００３６】
第二及び第三の分割部位６２，６３は可塑性樹脂により形成され、その形状及びフロントモジュールへの取り付け方法は第一の実施の形態における第二及び第三の分割部位６２，６３と略同一であるため、ここでは省略する。
【００３７】
図６は、リアキャビネットが一体で形成された薄型表示装置における内部を示す垂直断面図である。なお、図６では、リアキャビネット６０を例えば板厚０．５ミリの薄板で成形した場合を基に説明を行なう。
【００３８】
図６より、パネル駆動基板８２に対するシールド効果を持たせる場合、リアキャビネット６０とフロントキャビネット７０との密閉性が問題になる。具体的には、フロントキャビネット７０にリアキャビネット６０をねじ止めする際、フロントキャビネット７０に一体で形成されたボス部を用いてリアキャビネット６０をねじ止めする。このとき、フロントキャビネット７０の四隅はボス部を形成できるが、四隅以外の辺にボス部を多数形成した場合、ボス部周辺に引け等の成形不良が発生するため四隅以外の辺にボス部を多数形成するのは望ましくない。そのため、四隅以外の辺におけるフロントキャビネット７０とリアキャビネットとの密閉性を高めるために、表示パネル９０とフロントキャビネット７０とを固定する固定部材４０を使用し、この固定部材４０を介してリアキャビネット６０をフロントキャビネット７０の背面側に固定していた。
【００３９】
しかしながら、図５に示すように、板金により形成した第一の分割部位６１にパネル駆動基板８２に対するシールド効果を持たせれば、固定部材４０を抹消しつつ上述した密閉性を保持できる。具体的には、パネル駆動基板８２を覆うよう第一の分割部位６１を背面フレーム９２にねじ止めするため、第二及び第三の分割部位６２，６３はパネル駆動基板８２に対してシールドとして機能する必要がない。また、第二及び第三の分割部位６２，６３はフロントキャビネット６０との間の密閉性が不要となり、第二及び第三の分割部位６２，６３をフロントキャビネット７０に固定する際、上記した固定部材４０を抹消しフロントキャビネット７０の四隅に形成されたボス部を用いてねじ止めしてもよくなる。そのため、第二及び第三の分割部位６２，６３を可塑性樹脂を用いて形成してもよい。リアキャビネット６０の一部を可塑性樹脂を用いて形成して薄型表示装置１００の重量を軽くすることができる。
【００４０】
３．変形例
本発明には様々な変形例が存在する。
図７は、変形例としての薄型表示装置を背面側から見た図である。図７（ａ）に示すように、第一〜第三の分割部位６１〜６３をフロントキャビネット７０の高さＨｆと略同寸とした矩形状でもよい。これにより、背面６２ａ，６３ａがコ字状のように切り欠き部６２ｄ，６３ｄが不要になり、この切り欠き部６２ｄ，６３ｄの分だけ歩留まりを低減できる。
【００４１】
また、図７（ｂ）に示すように、第二及び第三の分割部位６２，６３をフロントキャビネット７０の高さＨｆ方向で分割するものであってもよい。例えば、表示パネル９０の背面における上方と下方とに基板を配置する構造である場合に、リアキャビネット６０を図７（ｂ）に示すよう分割することは基板故障時に有効である。
【００４２】
そして、リアキャビネット６０の分割構造を、前述した３分割構造とする以外にも、２分割構造としたり、３分割以上の分割構造とするものであってもよい。
【００４３】
さらに、薄型表示装置１００はテレビジョン放送を受信可能なチューナ部を備えた薄型テレビジョンであってもよい。
【００４４】
４．まとめ
映像を表示するための表示パネルと、前記表示パネルの背面側に固定されて該表示パネルを駆動する基板と、前記表示パネルを収容する収容開口を備えるフロントキャビネットとを具備する薄型表示装置において、板金にて構成される部位と可塑性樹脂にて構成される部位とから成る分割構造であって、前記収容開口を覆うよう固定されるリアキャビネットを具備する。
【００４５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４６】
【図１】薄型表示装置を説明する展開図である。
【図２】薄型表示装置１００の背面側における内部を説明する図である。
【図３】リアキャビネット６０を説明する斜視図である。
【図４】薄型表示装置の組み立て方法を説明する図である。
【図５】第二の実施の形態における薄型表示装置の横断面図を示す図である。
【図６】リアキャビネットが一体で形成された薄型表示装置における内部を示す垂直断面図である。
【図７】変形例としての薄型表示装置を背面側から見た図である。
【符号の説明】
【００４７】
４０…固定部材、６０…リアキャビネット、６１…第一の分割部位、６１ａ…貫通穴、６１ｂ…端子用開口、６１ｃ…基板収容凹部、６１ｄ…固定面、６２…第二の分割部位、６２ａ…背面、６２ｂ…側面、６２ｃ…貫通穴、６３…第三の分割部位、６３ａ…背面、６３ｂ…側面、６３ｃ…貫通穴、６２ｄ，６３ｄ…切り欠き部、７０…フロントキャビネット、７１…収容開口、７２…表示開口、７３…パネル固定部位、７４…ボス部、８０…駆動基板、８１…制御基板、８２…パネル駆動基板、８２ａ…接続端子、８３…バックライト駆動基板、９０…表示パネル、９１…パネル部、９２…背面フレーム、９２ａ，９２ｂ…固定部位、１００…薄型表示装置
【図１】
0005245418.tif 000002
【図２】
0005245418.tif 000003
【図３】
0005245418.tif 000004
【図４】
0005245418.tif 000005
【図５】
0005245418.tif 000006
【図６】
0005245418.tif 000007
【図７】
0005245418.tif 000008